(57)【要約】【課題】インクカートリッジを交換する際の作業性を向上するとともに、用紙を取り出す際の作業性を向上する。【解決手段】インクジェット記録装置１０は、筐体２０と、インクカートリッジ４４ａ〜４４ｄおよび記録ヘッド４６を搭載するキャリッジ４８と、排紙トレイ２８と、「蓋体」としてのスキャナ部１４と、インクカートリッジの交換時にキャリッジ４８が位置するキャリッジ領域Ｓ２および排紙トレイ２８に排出された用紙１６が位置する排紙領域Ｓ１の両方を照射可能に設けられた光源３２ａ〜３２ｄとを備え、排紙領域Ｓ１の筐体２０内に位置する部分は、筐体２０の外部から見えるように構成されており、光源３２ａ〜３２ｄの少なくとも１つは、スキャナ部１４を閉じた状態において、少なくとも排紙領域Ｓ１の筐体２０内に位置する部分に光を照射し、かつ、スキャナ部１４を開いた状態において、少なくともキャリッジ領域Ｓ２に光を照射する。【選択図】図３
2011207039.tif 000002
【特許請求の範囲】
【請求項１】
上部に開口部を有する筐体と、
前記筐体内に往復移動可能に設けられ、インクカートリッジおよび記録ヘッドを搭載するキャリッジと、
少なくとも一部が前記筐体内に設けられ、前記記録ヘッドから吐出されたインクにより画像が記録された用紙が排出される排紙トレイと、
前記筐体の上部に設けられ、前記開口部を開閉する蓋体と、
前記インクカートリッジの交換時に前記キャリッジが位置するキャリッジ領域および前記排紙トレイに排出された用紙が位置する排紙領域の両方を照射可能に設けられた光源とを備え、
前記排紙領域の前記筐体内に位置する部分は、前記筐体の外部から見えるように構成されており、
前記光源は、前記蓋体を閉じた状態において、少なくとも前記排紙領域の前記筐体内に位置する部分に光を照射し、かつ、前記蓋体を開いた状態において、少なくとも前記キャリッジ領域に光を照射する、インクジェット記録装置。
【請求項２】
画像が記録される用紙のサイズを認識する用紙サイズ認識手段と、
少なくとも前記用紙サイズ認識手段が認識したサイズが最小サイズのときに、前記排紙領域に光を照射するように前記光源を制御する光源制御手段とを有する、請求項１に記載のインクジェット記録装置。
【請求項３】
前記蓋体における前記キャリッジ領域に向いた面には、光反射材が設けられており、
前記蓋体が閉じた状態においては、前記光源から出射された光が前記光反射材で反射されて前記排紙領域に照射される、請求項１または２に記載のインクジェット記録装置。
【請求項４】
前記光源は前記キャリッジに設けられている、請求項１ないし３のいずれかに記載のインクジェット記録装置。
【請求項５】
所定のキャッピング位置で前記記録ヘッドを覆うヘッドキャップを有するキャッピング装置を備え、
前記蓋体が閉じた状態においては、記録動作の終了後に、前記キャリッジが前記記録ヘッドを前記キャッピング位置に位置決めし、かつ、前記光源が前記排紙領域に光を照射する、請求項４に記載のインクジェット記録装置。
【請求項６】
前記光源は、発光色が異なる複数の光源を有しており、動作状況に応じた色の前記光源が選択的に点灯される、請求項１ないし５のいずれかに記載のインクジェット記録装置。
【請求項７】
前記蓋体が閉じた状態においては、記録動作の最中に、前記光源が前記排紙領域に光を照射する、請求項１ないし６のいずれかに記載のインクジェット記録装置。
【請求項８】
前記蓋体が閉じた状態においては、記録動作の終了後に、前記光源が前記排紙領域に光を照射する、請求項１ないし７のいずれかに記載のインクジェット記録装置。
【請求項９】
前記光源の点灯および消灯のタイミングを制御する光源制御手段と、
前記インクカートリッジのインク残量を検出するインク残量検出手段と、
前記キャリッジに設けられたカートリッジホルダにおける前記インクカートリッジの有無を検出するカートリッジ検出手段とを備え、
前記蓋体が開いた状態において、前記インクカートリッジが無いことを前記カートリッジ検出手段が検出すると、前記光源制御手段が前記光源を点灯させ、その後、前記インクカートリッジが有ることを前記カートリッジ検出手段が検出し、かつ、前記インクカートリッジのインク残量が所定の基準値以上であることを前記インク残量検出手段が検出すると、前記光源制御手段が前記光源を消灯させる、請求項１ないし８のいずれかに記載のインクジェット記録装置。
【発明の詳細な説明】
【技術分野】
【０００１】
本発明は、筐体内に設けられた記録ヘッドで用紙に画像を記録するとともに、画像が記録された用紙を筐体内に設けられた排紙トレイに排出する、インクジェット記録装置に関する。
【背景技術】
【０００２】
プリンタ機能およびスキャナ機能を併有するインクジェット記録装置は、一般に、プリンタ機能を有するプリンタ部の上部にスキャナ機能を有するスキャナ部がヒンジを介して取り付けられており、プリンタ部を構成する第１筐体には、記録ヘッドとインクカートリッジとを搭載したキャリッジと、画像が記録された用紙が排出される排紙トレイの少なくとも一部とが収容されており、スキャナ部を構成する第２筐体には、原稿を載置するプラテンガラスと、原稿から画像を読み取るイメージセンサとが設けられている。そして、従来、インクカートリッジを交換する際には、スキャナ部をヒンジで回動させながら持ち上げて、第１筐体の上部に設けられた開口部を開き、その後、開口部からキャリッジが位置する領域に手を入れて、空になったインクカートリッジを新たなインクカートリッジに交換するようにしていた。また、排紙トレイに排出された用紙を取り出す際には、第１筐体の前部に設けられた用紙取出し口から当該用紙を目視で確認し、これを手で掴んで取り出すようにしていた。
【０００３】
しかし、スキャナ部の重量は、プラテンガラスおよびイメージセンサ等が設けられていることから、かなり大きくなっており、スキャナ部を持ち上げる角度は、転倒防止等のために小角度に制限されていた。そのため、スキャナ部を持ち上げて開口部を開いたときでも、室内照明の光をキャリッジが位置する領域に十分に取り込むことが困難であり、当該領域が暗いために、インクカートリッジを交換する際の作業性が悪くなっていた。
【０００４】
また、葉書等の小型用紙が排紙トレイに排出された場合には、当該小型用紙の全部または大部分が室内照明の光が届き難い筐体の内部に位置するため、当該小型用紙の存在を用紙取出し口から目視で確認することが困難であり、小型用紙を取り出す際の作業性が悪くなっていた。
【０００５】
ところで、従来、「インクカートリッジを交換する際の作業性」を高める様々な技術が提案されており、たとえば、特許文献１には、スキャナユニットの画像読取部に搭載されている光源の光を、スキャナユニットと記録ユニットとの間に設けられている窓を通して、記録ユニット内に照射する構成が記載されており、特許文献２には、表示灯の光を、メンテナンスカバーに設けられた透過手段（穴等）を通して、インクタンクに照射する構成が記載されている。
【先行技術文献】
【特許文献】
【０００６】
【特許文献１】特開２００６−１２９３６９（段落［００３０］参照）
【特許文献２】特開２００４−１８８６３８（段落［００２２］参照）
【発明の概要】
【発明が解決しようとする課題】
【０００７】
上述の先行技術（引用文献１，２）では、記録ユニットまたはインクタンク（すなわちインクカートリッジ）に光を照射することによって、「インクカートリッジを交換する際の作業性」を高めることが可能であるが、「用紙を取り出す際の作業性」を高めることは全く考慮されておらず、その作業性は、依然として改善されていなかった。
【０００８】
本発明は、上記課題を解決するためになされたものであり、「インクカートリッジを交換する際の作業性」を高めることができるとともに、「用紙を取り出す際の作業性」を高めることができる、インクジェット記録装置を提供することを目的とする。
【課題を解決するための手段】
【０００９】
上記課題を解決するために、本発明に係るインクジェット記録装置は、上部に開口部を有する筐体と、前記筐体内に往復移動可能に設けられ、インクカートリッジおよび記録ヘッドを搭載するキャリッジと、少なくとも一部が前記筐体内に設けられ、前記記録ヘッドから吐出されたインクにより画像が記録された用紙が排出される排紙トレイと、前記筐体の上部に設けられ、前記開口部を開閉する蓋体と、前記インクカートリッジの交換時に前記キャリッジが位置するキャリッジ領域および前記排紙トレイに排出された用紙が位置する排紙領域の両方を照射可能に設けられた光源とを備え、前記排紙領域の前記筐体内に位置する部分は、前記筐体の外部から見えるように構成されており、前記光源は、前記蓋体を閉じた状態において、少なくとも前記排紙領域の前記筐体内に位置する部分に光を照射し、かつ、前記蓋体を開いた状態において、少なくとも前記キャリッジ領域に光を照射する。
【００１０】
この構成では、蓋体を閉じた状態において、光源が排紙領域の筐体内に位置する部分に光を照射するので、排紙トレイに排出された用紙を目視で容易に確認することが可能であり、排紙トレイから用紙を取り出す際の作業性を高めることができる。また、蓋体を開いた状態において、光源がキャリッジ領域に光を照射するので、インクカートリッジを交換する際の作業性を高めることができる。
【発明の効果】
【００１１】
本発明によれば、上記の構成によって、「インクカートリッジを交換する際の作業性」を高めることができるとともに、「用紙を取り出す際の作業性」を高めることができる。
【図面の簡単な説明】
【００１２】
【図１】図１は第１実施形態に係るインクジェット記録装置の構成を示す斜視図である。
【図２】図２は第１実施形態に係るインクジェット記録装置の構成を示す正面図である。
【図３】図３は第１実施形態に係るインクジェット記録装置の構成を示す断面図である。
【図４】図４は第１実施形態に係るインクジェット記録装置の構成を示すブロック図である。
【図５】図５は第１実施形態に係るインクジェット記録装置の「記録時の状態」を示す断面図である。
【図６】図６は第１実施形態に係るインクジェット記録装置の「待機時の状態」を示す断面図である。
【図７】図７は第１実施形態に係るインクジェット記録装置の「インクカートリッジ交換時の状態」を示す断面図である。
【図８】図８は第２実施形態に係るインクジェット記録装置の構成を示す断面図である。
【図９】図９は第３実施形態に係るインクジェット記録装置の構成を示す断面図である。
【発明を実施するための形態】
【００１３】
以下に、本発明の好ましい実施形態に係るインクジェット記録装置について、図面を参照しながら説明する。なお、以下の実施形態では、本発明をプリンタ機能、スキャナ機能およびコピー機能を併有するインクジェット記録装置（複合機）に適用しているが、本発明は、プリンタ機能だけを有する単なるプリンタ等にも適用可能である。
（第１実施形態）
［インクジェット記録装置の全体構成］
図１は、第１実施形態に係るインクジェット記録装置１０の構成を示す斜視図であり、図２は、インクジェット記録装置１０の構成を示す正面図であり、図３は、インクジェット記録装置１０の構成を示す断面図である。
【００１４】
図１に示すように、インクジェット記録装置１０は、用紙１６に画像を記録する「プリンタ機能」を有するプリンタ部１２と、原稿から画像を読み取る「スキャナー機能」を有するスキャナ部１４とを備えており、スキャナ部１４で読み取った画像をプリンタ部１２で用紙１６に記録することで「コピー機能」を発揮できるようになっている。
［プリンタ部の構成］
図１〜３に示すように、プリンタ部１２は、略直方体状の第１筐体２０を有しており、第１筐体２０の内部には、記録部２２と、キャッピング装置２４（図２）と、用紙カセット２６と、排紙トレイ２８と、搬送部３０（図３）と、光源３２ａ〜３２ｄと、「光源制御手段」としての制御部３４（図３、図４）とが設けられている。
【００１５】
図１に示すように、第１筐体２０は、平面視略四角形の底板部２０ａと、底板部２０ａの周縁部から立ち上がって形成された４枚の側板部２０ｂ〜２０ｅとを有しており、第１筐体２０の上部には、開口部３５（図３）が形成されており、第１筐体２０の前面を構成する側板部２０ｂには、用紙取出し口３６が形成されている。また、第１筐体２０の前部における側板部２０ｂの上方には、操作部３８が所定角度で傾斜して形成されており、操作部３８には、表示パネル４０と各種の入力ボタン４２とが設けられている。そして、第１筐体２０の内部における操作部３８の下方には、制御部３４（図３）が配設されている。
【００１６】
図１に示すように、記録部２２は、外部装置（コンピュータ等）やスキャナ部１４から与えられた画像情報に基づいて、用紙１６に画像を記録する部分であり、異なる色（本実施形態では、シアン、イエロー、マゼンダおよびブラックの４色）のインクを収容する複数（本実施形態では４個）のインクカートリッジ４４ａ〜４４ｄと、インクカートリッジ４４ａ〜４４ｄから供給されたインクを用紙１６に向けて吐出する記録ヘッド４６と、インクカートリッジ４４ａ〜４４ｄおよび記録ヘッド４６を搭載するキャリッジ４８と、キャリッジ４８を往復移動させる駆動部５０とを有している。
【００１７】
図３に示すように、キャリッジ４８は、記録ヘッド４６を保持するヘッドホルダ４８ａと、インクカートリッジ４４ａ〜４４ｄのそれぞれを着脱可能に保持するカートリッジホルダ４８ｂとを有しており、カートリッジホルダ４８ｂには、インクカートリッジ４４ａ〜４４ｄの有無を検出する「カートリッジ検出手段」としてのカートリッジセンサ５２と、インクの残量を検出する「インク残量検出手段」としてのインク残量センサ５４とが、インクカートリッジ４４ａ〜４４ｄのそれぞれに対応して設けられている。なお、カートリッジセンサ５２およびインク残量センサ５４の構成は、特に限定されるものではなく、公知技術を適宜選択して用いることができる。
【００１８】
図１に示すように、駆動部５０は、キャリッジ４８を往復移動可能に支持する第１レール５６ａおよび第２レール５６ｂと、第１レール５６ａおよび第２レール５６ｂのいずれか一方（本実施形態では第２レール５６ｂ）に設けられた主動プーリ５８ａおよび従動プーリ５８ｂと、主動プーリ５８ａに接続された駆動モータ６０と、主動プーリ５８ａおよび従動プーリ５８ｂに掛け渡された無端ベルト６２とを有しており、無端ベルト６２の一部がキャリッジ４８の側面に固定されている。
【００１９】
そして、図１に示すように、用紙１６に画像を記録するときには、駆動モータ６０が駆動されることによって、キャリッジ４８が走査領域Ｒ（すなわち、用紙１６に画像を記録するときにキャリッジ４８が移動し得る領域）をレール５６ａ，５６ｂに沿って往復移動される。また、図６に示すように、記録ヘッド４６の吐出不良を回復するパージ動作を実行するときや、インクジェット記録装置１０を待機状態にするときには、駆動モータ６０（図１）が駆動されることによって、キャリッジ４８が走査領域Ｒの側方に位置する待機位置Ｐ１に移動される。さらに、図２に示すように、インクカートリッジ４４ａ〜４４ｄを交換するときには、駆動モータ６０（図１）が駆動されることによって、キャリッジ４８が走査領域Ｒの中央部に移動される。
【００２０】
図２に示すように、キャッピング装置２４は、パージ動作のときに、記録ヘッド４６からインクを吸引したり、待機状態のときに、記録ヘッド４６のノズル（図示省略）の乾燥を防止したりする機能を有するものであり、所定のキャッピング位置Ｐ２において記録ヘッド４６を覆うヘッドキャップ６４と、ヘッドキャップ６４を昇降させる昇降部６６と、インクを吸引する吸引ポンプ（図示省略）とを有している。
【００２１】
図２に示すように、用紙カセット２６は、葉書、Ｂ５用紙およびＡ４用紙等の様々なサイズの用紙１６を収容する容器であり、用紙カセット２６の底部には、用紙１６の位置を規定する２つの用紙ガイド７０ａ，７０ｂが設けられており、用紙カセット２６の側部には、用紙１６のサイズを認識する「用紙サイズ認識手段」としての用紙サイズセンサ７２が設けられている。用紙ガイド７０ａ，７０ｂは、用紙１６の搬送方向に対して直交する方向（図２の左右方向）に位置調整可能に構成されており、一対の用紙ガイド７０ａ，７０ｂによって用紙１６の両側縁がガイドされるようになっている。また、用紙サイズセンサ７２は、用紙ガイド７０ａ，７０ｂ間の間隔に基づいて、用紙１６のサイズに応じた信号を出力するように構成されている。
【００２２】
なお、「用紙サイズ認識手段」は、用紙サイズセンサ７２に限定されるものではなく、たとえば、ユーザが用紙サイズを手動入力する場合には、用紙サイズを入力する入力ボタン４２と、入力されたサイズを認識する制御部３４とを「用紙サイズ認識手段」として用いてもよい。また、インクジェット記録装置１０を外部装置（コンピュータ等）に接続して使用する場合には、外部装置から入力される用紙サイズ信号を「用紙サイズ認識手段」として用いてもよい。
【００２３】
図２に示すように、排紙トレイ２８は、用紙カセット２６の上方に設けられた板状のトレイ本体７４ａと、用紙１６の搬送方向に対して直交する方向（図２の左右方向）におけるトレイ本体７４ａの両側に配設された側板部７４ｂ，７４ｃとを有している。そして、図３に示すように、トレイ本体７４ａの上方には、排紙トレイ２８に排出された用紙１６が位置する領域(以下、「排紙領域」という。)Ｓ１と、それよりも上方に位置する領域とを仕切る仕切板７６が設けられており、仕切板７６には、光源３２ａ〜３２ｄの光を排紙領域Ｓ１に導く長孔状の導光口７８が、キャリッジ４８の移動方向（以下、「走査方向」という。）に延びて形成されている。
【００２４】
本実施形態の排紙トレイ２８は、その大部分が第１筐体２０の内部に位置しているが、その一部は用紙取出し口３６から突出して第１筐体２０の外部に位置している。そして、図３に示すように、排紙領域Ｓ１の第１筐体２０内に位置する部分は、用紙取出し口３６を通して第１筐体２０の外部から見えるように構成されており、第１筐体２０内に位置する排紙領域Ｓ１の奥側端部の上方から、排紙トレイ２８に用紙１６が排出されるようになっている。
【００２５】
図３に示すように、搬送部３０は、用紙カセット２６に収容された用紙１６を所定のタイミングで記録部２２に与えるとともに、画像が記録された用紙１６を排紙トレイ２８に排出する部分であり、略Ｕ状の搬送経路８０と、記録ヘッド４６と対向する位置で用紙１６を支持するプラテン８２と、ピックアップローラ８４と、給紙ローラ８６と、排紙ローラ８８とを有している。そして、用紙カセット２６に収容された用紙１６がピックアップローラ８４によって搬送経路８０に与えられると、当該用紙１６が、給紙ローラ８６によって所定のタイミングでプラテン８２に与えられ、記録ヘッド４６で画像が記録されながら、排紙ローラ８８によって排紙トレイ２８に排出される。
【００２６】
図１に示すように、光源３２ａ〜３２ｄは、「シアン」、「イエロー」、「マゼンダ」および「ブラック」のインクカートリッジ４４ａ〜４４ｄに対応するように、「青」、「黄」、「赤」および「緑」の光を出射する発光部であり、インクカートリッジ４４ａ〜４４ｄの交換時にキャリッジ４８が位置するキャリッジ領域Ｓ２および排紙トレイ２８に排出された用紙１６が位置する排紙領域Ｓ１の両方を照射できるように、出光方向が上を向くようにしてキャリッジ４８の側面に設けられている。
【００２７】
一方、図２および図３に示すように、スキャナ部１４におけるキャリッジ領域Ｓ２に向いた下面１４ａには、鏡等のような光反射材９０がキャリッジ４８の走査方向に延びて、かつ、用紙１６の搬送方向において傾斜して設けられており、図５に示すように、スキャナ部１４で開口部３５（図３）を閉じた状態では、光源３２ａ〜３２ｄから出射された光が、光反射材９０で反射されて、導光口７８を通して第１筐体２０内の排紙領域Ｓ１に照射される。
【００２８】
また、図２に示すように、スキャナ部１４の下面１４ａにおけるキャッピング装置２４に対向する部分には、鏡等のような光反射材９２がキャリッジ４８の走査方向において傾斜して設けられており、図６に示すように、スキャナ部１４で開口部３５（図３）を閉じ、かつ、キャリッジ４８を待機位置Ｐ１に位置決めした状態では、光源３２ａから出射された光が、光反射材９２で反射されて、導光口７８を通して第１筐体２０内の排紙領域Ｓ１に照射される。
【００２９】
このように、本実施形態では、光反射材９０，９２で光を所定方向に反射させるようにしているので、光源３２ａ〜３２ｄとしては、発光ダイオード等のような強い指向性を有するものが用いられている。
【００３０】
図４に示すように、制御部３４は、各種のセンサ等から与えられた信号に基づいて、光源３２ａ〜３２ｄの点灯および消灯のタイミングを制御する「光源制御手段」として機能するものであり、具体的には、各種の演算処理を実行する中央演算処理装置（ＣＰＵ）、各種のデータを記憶する記憶装置（ＲＯＭ，ＲＡＭ）およびタイマ等を有している。そして、制御部３４に対して、カートリッジセンサ５２、インク残量センサ５４、用紙サイズセンサ７２、開閉センサ９４、記録部２２、キャッピング装置２４、搬送部３０、入力ボタン４２および光源３２ａ〜３２ｄ等が接続されている。
［スキャナ部の構成］
図３に示すように、スキャナ部１４は、略直方体状の第２筐体１００を有しており、第２筐体１００の上面には、原稿を載置するプラテンガラス１０２が設けられており、第２筐体１００の内部には、原稿から画像を読み取るイメージセンサ１０４が設けられている。また、第２筐体１００の上部には、プラテンガラス１０２を保護するカバー１０６が第２ヒンジ１０８を介して開閉可能に取り付けられている。なお、スキャナ部１４の下面１４ａに光反射材９０，９２が設けられていることは、上述した通りである。
【００３１】
そして、スキャナ部１４の全体が、第１ヒンジ１１０を介してプリンタ部１２における第１筐体２０の上部に取り付けられており、スキャナ部１４が「蓋体」として機能することで、第１筐体２０の開口部３５が開閉される。さらに、プリンタ部１２およびスキャナ部１４の一方（本実施形態ではプリンタ部１２）には、スキャナ部１４の開閉状態を認識する開閉センサ９４が設けられている。
［記録動作］
図５は、インクジェット記録装置１０の「記録時の状態」を示す断面図である。
【００３２】
インクジェット記録装置１０では、「蓋体」としてのスキャナ部１４が閉じられた状態において、用紙１６に画像を記録するための「記録動作」が実行される。この「記録動作」では、用紙カセット２６に収容された用紙１６が搬送部３０によって記録部２２に与えられ、記録ヘッド４６から用紙１６にインクが吐出されることによって、当該用紙１６に画像が記録される。そして、画像が記録された用紙１６が排紙領域Ｓ１の奥側端部の上方から排紙トレイ２８に排出される。なお、光源３２ａ〜３２ｄの動作は、「光源制御手段」としての制御部３４によって制御され、ユーザは、入力ボタン４２を操作することによって、必要な動作態様を適宜選択することができる。以下には、代表的な動作態様について説明する。
＜第１の動作態様＞
「第１の動作態様」では、制御部３４は、記録動作の最中に光源３２ａ〜３２ｄの少なくとも１つを点灯させ、当該光源の光を光反射材９０で反射させて、排紙領域Ｓ１に照射する。したがって、排紙トレイ２８に排出されてくる用紙１６の画像を、当該光の下で目視で容易に確認することが可能であり、記録不良を早期に発見することができる。また、記録動作の最中には、光源３２ａ〜３２ｄがキャリッジ４８と共に往復移動するので、排紙領域Ｓ１の幅方向（すなわち走査方向）の全域をサーチライトのように照らすことが可能であり、小出力の光源３２ａ〜３２ｄを用いた場合でも、排紙領域Ｓ１に位置する用紙１６を用紙取出し口３６から容易に視認することができる。
【００３３】
また、「記録動作」が終了すると、駆動モータ６０（図１）が、キャリッジ４８を走査領域Ｒの走査方向中央部に移動させるとともに、制御部３４が、光源３２ａ〜３２ｄの少なくとも１つを点灯させ、当該光源の光を光反射材９０で反射させて排紙領域Ｓ１に照射する。したがって、ユーザは、点灯された光源が走査方向中央部に位置していることを見て、「記録動作の終了」を知ることができるとともに、当該光源の光で照らされた排紙トレイ２８上の用紙１６を、目視で確認しながら容易に取り出すことができる。
【００３４】
そして、「記録動作」が終了した後、一定時間が経過すると、駆動モータ６０（図１）が、キャリッジ４８を待機位置Ｐ１に移動させるとともに、キャリッジ４８が記録ヘッド４６を所定のキャッピング位置Ｐ２に位置決めする。また、制御部３４が、光源３２ａ〜３２ｄの少なくとも１つを一定時間だけ点灯させ、当該光源の光を光反射材９０または９２で反射させて排紙領域Ｓ１に照射する。つまり、キャリッジ４８が待機位置Ｐ１に移動するまでは、光源３２ａ〜３２ｄの少なくとも１つの光を、光反射材９０で反射させて排紙領域Ｓ１に照射し、キャリッジ４８が待機位置Ｐ１に移動した後は、光源３２ａ〜３２ｄの少なくとも１つの光を、光反射材９２で反射させて排紙領域Ｓ１に照射し、その後、光源３２ａ〜３２ｄの全てを消灯させる。
【００３５】
したがって、「記録動作」の終了後の一定時間は、排紙領域Ｓ１が光源３２ａ〜３２ｄの少なくとも１つの光で照らされることになり、キャリッジ４８が待機位置Ｐ１に移動した後であっても、排紙トレイ２８に排出された用紙１６を目視で確認しながら容易に取り出すことができる。また、キャリッジ４８が待機位置Ｐ１に移動してから一定時間が経過すると、光源３２ａ〜３２ｄの全てが消灯されるので、光源３２ａ〜３２ｄの電力消費量を低減することができる。
【００３６】
なお、他の動作態様においては、記録動作の最中には、光源３２ａ〜３２ｄの全てを消灯させてもよい。この場合でも、制御部３４が、「記録動作」の終了後に光源３２ａ〜３２ｄの少なくとも１つを点灯させることで、排紙領域Ｓ１に光を照射することができるので、排紙トレイ２８に排出された用紙１６を目視で確認しながら容易に取り出すことができる。また、他の動作態様においては、「記録動作」の終了後には、消灯用の入力ボタン４２が押されるまで、光源３２ａ〜３２ｄの点灯状態を保持するようにしてもよい。
＜第２の動作態様＞
「第２の動作態様」は、「第１の動作態様」に付加される動作態様である。「第２の動作態様」では、制御部３４は、複数の光源３２ａ〜３２ｄのうち、動作状況に応じた色の光源３２ａ〜３２ｄを選択的に点灯させる。
【００３７】
たとえば、インク残量センサ５４が検出するインクカートリッジ４４ａ〜４４ｄのいずれかのインク残量が所定の基準値よりも少なくなると、制御部３４は、光源３２ａ〜３２ｄの中から当該インクカートリッジの色に対応する色の光源を選択して点灯させる。これにより、ユーザは、点灯されている光源の色に基づいて、交換すべきインクカートリッジ４４ａ〜４４ｄの種類（色）と交換時期とを簡単に知ることができる。
【００３８】
また、制御部３４は、記録対象となっている用紙１６の残り枚数が２０枚のときに「青」、１０枚のときに「黄」、３枚のときに「赤」といったように、残り枚数に応じて異なる色の光源を点灯させる。これにより、ユーザは、点灯された光源の色に基づいて、「記録動作」の終了までのおおよその時間を知ることができる。
【００３９】
なお、「第２の動作態様」では、光源の色で動作状況を知らせるようにしているが、他の動作態様では、点灯方式を点滅等に変えることによって、或いは、点滅周期を変えることによって、動作状況を知らせるようにしてもよい。この場合には、電球の色数にかかわらず、様々な動作状況を知らせることができるので、光源の数は１個だけでもよい。
＜第３の動作態様＞
「第３の動作態様」は、最小サイズの用紙１６を取り出す際の作業性を優先的に改善するための動作態様である。「第３の動作態様」では、制御部３４は、少なくとも「用紙サイズ認識手段」としての用紙サイズセンサ７２が認識したサイズが最小サイズ（本実施形態では葉書サイズ）のときに、上記第１および第２の動作態様を実行するように光源３２ａ〜３２ｄを制御する。
【００４０】
「第３の動作態様」を実現するための「第１の方法」では、第１筐体２０内の排紙領域Ｓ１に光を照射する必要がある用紙１６のサイズ（最小サイズを含む。）を予め制御部３４の記憶装置に記憶させ、当該サイズの用紙１６に画像が記録されるときにだけ、制御部３４で光源３２ａ〜３２ｄの少なくとも１つを点灯させる。
【００４１】
また、「第２の方法」では、「基準サイズ」を予め制御部３４の記憶装置に記憶させ、基準サイズ以下のサイズの用紙１６に画像が記録されるときにだけ、制御部３４で光源３２ａ〜３２ｄの少なくとも１つを点灯させる。
【００４２】
なお、ユーザが用紙サイズを手動入力する場合には、用紙サイズを入力する入力ボタン４２と、入力されたサイズを認識する制御部３４とが「用紙サイズ認識手段」となる。
［待機動作］
図６は、インクジェット記録装置１０の「待機時の状態」を示す断面図である。
【００４３】
インクジェット記録装置１０を待機状態にするときや、パージ動作を実行するときには、「待機動作」が実行され、駆動モータ６０（図１）がキャリッジ４８を待機位置Ｐ１に移動させるとともに、キャリッジ４８が記録ヘッド４６を所定のキャッピング位置Ｐ２に位置決めする。そして、キャッピング装置２４の昇降部６６がヘッドキャップ６４を上昇させ、当該ヘッドキャップ６４を記録ヘッド４６に装着する。さらに、パージ動作においては、吸引ポンプ（図示省略）が記録ヘッド４６内のインクを吸引する。
【００４４】
上記「第１の動作態様」の項で説明したように、キャリッジ４８が待機位置Ｐ１に位置する状態では、光源３２ａから出射された光が、光反射材９２で反射されて排紙領域Ｓ１に照射されるので、排紙トレイ２８に用紙１６が残っている場合には、当該用紙１６を目視で確認しながら容易に取り出すことができる。
【００４５】
なお、本実施形態では、待機位置Ｐ１で出射された光を排紙領域Ｓ１に効率よく導くために、待機位置Ｐ１では、排紙領域Ｓ１に最も近い光源３２ａだけを使用しているが、他の光源３２ｂ〜３２ａを単独で使用してもよいし、２個以上の光源を併用してもよい。
［カートリッジ交換動作］
図７は、インクジェット記録装置１０の「インクカートリッジ交換時の状態」を示す断面図である。
【００４６】
インクカートリッジ４４ａ〜４４ｄの交換時には、ユーザが入力ボタン４２のうちカートリッジ交換用のボタンを手動で操作したときに、或いは、開閉センサ９４がスキャナ部１４の「開状態」を認識したときに、駆動モータ６０によってキャリッジ４８が走査領域Ｒの中央部（図２の位置）に移動され、当該キャリッジ４８がインクカートリッジ４４ａ〜４４ｄを所定のカートリッジ交換位置Ｐ３に位置決めする。また、「光源制御手段」としての制御部３４が、光源３２ａ〜３２ｄの少なくとも１つを点灯させ、当該光源の光をキャリッジ領域Ｓ２に照射する。
【００４７】
したがって、図７に示すように、「蓋体」としてのスキャナ部１４を開いた状態では、インクカートリッジ４４ａ〜４４ｄが光源の光で照らされることになり、ユーザは、インクカートリッジ４４ａ〜４４ｄの位置を目視で確認しながら、その交換作業を容易に行うことができる。また、上述のように、インク残量が少なくなったインクカートリッジの色に対応する色の光源を点灯させるようにすると、ユーザは、その光源の色に基づいて交換すべきインクカートリッジ４４ａ〜４４ｄの種類（色）を簡単に知ることができるので、その交換作業をより容易に行うことができる。
【００４８】
図７に示すように、「蓋体」としてのスキャナ部１４が開かれた状態において、カートリッジホルダ４８ｂから空になったインクカートリッジ４４ａを取り出すと、カートリッジセンサ５２が、カートリッジホルダ４８ｂにインクカートリッジ４４ａが無いことを検出し、制御部３４は、その不在になったインクカートリッジ４４ａに対応する光源、或いは、他の光源を点灯させる。そして、その後、新たなインクカートリッジ４４ａがカートリッジホルダ４８ｂに装着されて、「カートリッジホルダ４８ｂにインクカートリッジ４４ａが有ること」をカートリッジセンサ５２が検出し、かつ、「当該インクカートリッジ４４ａのインク残量が所定の基準値以上であること」をインク残量センサ５４が検出すると、制御部３４は、点灯させていた光源を消灯させる。
【００４９】
したがって、ユーザは、光源が消灯したことを見て、インクが十分に残存している新たなインクカートリッジ４４ａが正しく装着された、と判断することができる。
（第２実施形態）
図８は、第２実施形態に係るインクジェット記録装置１２０の構成を示す断面図である。
【００５０】
インクジェット記録装置１２０では、光源３２ａ〜３２ｄが、第１レール５６ａの長手方向（すなわち走査方向）の中央部に取り付けられている。また、スキャナ部１４の下面１４ａには、光源３２ａ〜３２ｄから出射された光を反射して、排紙領域Ｓ１に照射する光反射材９０が設けられている。そして、インクカートリッジ４４ａ〜４４ｄを交換する際には、キャリッジ４８が走査領域Ｒの中央部に移動され、インクカートリッジ４４ａ〜４４ｄが光源３２ａ〜３２ｄの近傍に位置する所定のカートリッジ交換位置Ｐ３に位置決めされる。
【００５１】
したがって、スキャナ部１４を閉じた状態では、光源３２ａ〜３２ｄの光を導光口７８を通して第１筐体２０内の排紙領域Ｓ１に照射することが可能であり、一方、スキャナ部１４を開いた状態では、光源３２ａ〜３２ｄの光をキャリッジ領域Ｓ２に照射することが可能であり、排紙トレイ２８から用紙１６を取り出す際の作業性を向上することができるとともに、インクカートリッジ４４ａ〜４４ｄを交換する際の作業性を向上することができる。
【００５２】
なお、第２実施形態では、光源３２ａ〜３２ｄが第１レール５６ａに固定されているので、光反射板９０は、光源３２ａ〜３２ｄと対向する位置にだけ設けられていてもよく、導光口７８は、光反射板９０に対応する位置にだけ設けられていてもよい。
（第３実施形態）
図９は、第３実施形態に係るインクジェット記録装置１３０の構成を示す断面図である。
【００５３】
インクジェット記録装置１３０では、光源１３２ａ〜１３２ｄの指向性が弱く、光源１３２ａ〜１３２ｄから出射された光が全方位に均等に拡散されるようになっている。したがって、導光口７８の近傍に光源１３２ａ〜１３２ｄを配置することによって、排紙領域Ｓ１およびキャリッジ領域Ｓ２の両方を同時に照らすことが可能であり、光反射材９０，９２を省略することができる。
【００５４】
なお、インクジェット記録装置１３０（図９）では、光源１３２ａ〜１３２ｄを第１レール５６ａに取り付けているが、光源１３２ａ〜１３２ｄをキャリッジ４８に取り付けるようにしてもよい。
【符号の説明】
【００５５】
Ｐ１…  待機位置
Ｐ２…  キャッピング位置
Ｐ３…  カートリッジ交換位置
Ｓ１…  排紙領域
Ｓ２…  キャリッジ領域
Ｒ…  走査領域
１０…  インクジェット記録装置
１２…  プリンタ部
１４…  スキャナ部（蓋体）
１４ａ…  下面
１６…  用紙
２０…  第１筐体
２２…  記録部
２４…  キャッピング装置
２６…  用紙カセット
２８…  排紙トレイ
３０…  搬送部
３２ａ〜３２ｄ…  光源
３４…  制御部（光源制御手段）
３５…  開口部
３６…  用紙取出し口
３８…  操作部
４２…  入力ボタン（用紙サイズ認識手段）
４４ａ〜４４ｄ…  インクカートリッジ
４６…  記録ヘッド
４８ａ…  ヘッドホルダ
４８ｂ…  カートリッジホルダ
４８…  キャリッジ
５０…  駆動部
５２…  カートリッジセンサ（カートリッジ検出手段）
５４…  インク残量センサ（インク残量検出手段）
５６ａ…  第１レール
５６ｂ…  第２レール
６０…  駆動モータ
６４…  ヘッドキャップ
７２…  用紙サイズセンサ（用紙サイズ認識手段）
７８…  導光口
９０，９２…  光反射材
９４…  開閉センサ
１１０…  第１ヒンジ
１２０，１３０…  インクジェット記録装置
１３２ａ〜１３２ｄ…  光源
【図１】
2011207039.tif 000003
【図２】
2011207039.tif 000004
【図３】
2011207039.tif 000005
【図４】
2011207039.tif 000006
【図５】
2011207039.tif 000007
【図６】
2011207039.tif 000008
【図７】
2011207039.tif 000009
【図８】
2011207039.tif 000010
【図９】
2011207039.tif 000011